Podtech/llm-jp-corpus-v4-ja_patent huggingface dataset:
(57)【要約】【課題】カーボンナノチューブ（ＣＮＴ）等の炭素系ナノ構造物を浸透させ、高い機能性を持たせた紙、繊維、皮革などの新素材を作成する。【解決手段】炭素系ナノ構造物を均一に分散させた溶液を塗布、スプレー噴霧、又は染め物や抄紙の要領で使用し、紙、繊維、皮革といった基礎となる素材の表面や組織の内部に炭素系ナノ構造物を吸着・浸透させる。【選択図】図１
2011058153.tif 000002
【特許請求の範囲】
【請求項１】
ＣＮＴ、ＣＮＦ、ＣＮＨ及びフラーレンなどの機能性炭素系ナノ構造体を均一に分散させた溶液を用い、染め物の技術を応用して表面及び内部にこれを均一に染み込ませた紙や繊維、及び皮革による新素材。
【請求項２】
請求項１のＣＮＴ分散液を用い、これを塗布またはスプレー噴霧することによって表面にＣＮＴを均一に吸着させた紙や繊維、及び皮革による新素材。
【請求項３】
請求項１又は請求項２で出来上がった素材に金・銀・銅などの金属メッキや真空蒸着を一回又は複数回施し、金属素材としての機能を持たせた新素材。
【請求項４】
請求項１、請求項２又は請求項３で出来上がった素材をコイル、ケーブル、電極、電線といった電子部品等に加工した製品。
【請求項５】
請求項１、請求項２、請求項３又は請求項４の素材や部品を使用した大画面ディスプレイやＬＥＤ照明、モーター、発電機といった電子機器と、その他家電、乗り物等に搭載される電機電子製品全般。
【請求項６】
請求項１〜請求項３と同じ手法を用いて、炭素系ナノ構造体、酸化チタン及び金属イオンのいずれか又はこれらの組み合わせたものを添加混合し、これらの持つ抗酸化・抗菌作用を付与した紙や繊維、及び皮革による新素材。
【請求項７】
請求項６の素材を用いた団扇、扇子、マスク、ガーゼ、壁紙、障子紙、照明、衣類、人形、置物、絵画、書画、食器などの製品全て。
【発明の詳細な説明】
【技術の分野】
【０００１】本発明はカーボンナノチューブ（ＣＮＴ）等の炭素系ナノ構造物を浸透させ、高い機能性を持たせた紙、繊維、皮革などの新素材に関するものである。
【背景技術】
【０００２】ＣＮＴ、カーボンナノファイバー（ＣＮＦ）、カーボンナノホーン（ＣＮＨ）、フラーレンといった炭素系ナノ構造物は、熱的、電気的及び機械的に高い特性と、抗酸化作用を持つ新素材として、様々な分野で注目されている。【０００３】これら炭素系ナノ構造物を金属や樹脂などに混合し、機能の向上を図った新素材の開発が進んでいる。また、ＣＮＴを液中で均一分散させる手法も確立されている。【０００４】上記以外の素材、例えば紙、繊維及び皮革等にＣＮＴを混合し、機能性を向上させたＣＮＴ混合新素材の開発が望まれている。
【発明の概要】
【発明が解決しようとする課題】
【０００５】炭素系ナノ構造物は非常に微細且つ繊細な構造物であるため、大気中で金属その他の素材に均一且つ緻密に分散・混合することは困難である。
【課題を解決するための手段】
【０００６】本発明では、ＣＮＴを分散・混合させたＣＮＴ分散液を以下のように活用し、上記の課題を達成せしめるものである、【０００７】染め物の要領でベースとなる紙、繊維及び皮革をＣＮＴ分散液に浸し、ベース表面及び内部にＣＮＴを均一に吸着・浸透させる。【０００８】抄紙の要領で紙を漉く際にＣＮＴ分散液を使用して汲み込みを行い、紙の繊維内にＣＮＴを均一に浸透させる。【０００９】０００７または０００８で出来上がった素材にＣＮＴ分散液を塗布あるいはスプレー噴霧し、乾燥させる工程を複数回繰り返すことによって素材表面にＣＮＴを均一に吸着させる。【００１０】０００７、０００８または０００９で出来上がった素材に金・銀・銅などの金属メッキ、及び真空蒸着を施し、熱伝導性、電気伝導性を高めた素材とする。【００１１】０００７又は０００８においてＣＮＴ分散液に金属イオンを保持させた金属ナノ粒子又は酸化チタン粉末を添加混合し、これらの持つ抗酸化作用及び抗菌作用を付与した紙、繊維及び皮革素材とする。
【発明の効果】
【００１２】上記の手法で作成した紙、繊維、皮革は従来の金属素材と同等又はそれ以上の熱特性、電気特性、機械特性を持つ新素材として活用できる。例えばコイル、ケーブル、電線、ＬＥＤ電極、バッテリーなどの電子素材や、この紙や織物を用いた大型ディスプレイなどに利用可能である。【００１３】また、炭素系ナノ構造物（代表的なものとしてＣ６０フラーレン）が持つ抗酸化作用を紙、繊維、皮革に付与することも出来る。その際、炭素系ナノ構造物と同時に金属イオンや、酸化チタンを添加することによって、より高い抗酸化・抗菌作用を持たせることも可能となる。このようにして作製した新素材は、抗菌・抗酸化性を有する団扇、扇子、マスク、ガーゼ、壁紙、障子紙、衣類などに応用できる。
【図面の簡単な説明】
【００１４】
【図１】は、染め物の要領で繊維又は紙にＣＮＴを混合する方法を示した説明図である。
【図１】
2011058153.tif 000003
(57)【要約】【課題】従来品の手袋は防寒や作業の際に手をガードする事が基本だったので。【解決手段】さらに防寒機能を向上させるためとつけた際の違和感を軽減する為に手の甲にポケット状の袋を設けた。ここにカイロ等を入れることにより防寒機能がさらに向上する。又、作業用の手袋は手をガードする事が基本だった。しかし、汗ふき用の生地を付けることにより手袋で汗をふく事が出来るので、手ぬぐいやハンカチなどを携帯しなくともよくなる。この手袋を使うと手袋を防寒のために重ねて付ける必要もなく、作業等で汚れた手袋で取り出した手ぬぐいはどうしても汚れてしまい、汚れた手ぬぐいで汗をふくと汚れが顔などについてしまうが、この手袋を使うといつも清潔な布で汗を拭う事が可能になる。【選択図】図５
2011058154.tif 000002
【特許請求の範囲】
【請求項１】
手の甲に物を収納できる袋を設けた手袋。
【請求項２】
前記手袋は吸水性の強い生地を設けた請求項１記載の手袋。
【請求項３】
手袋と袋と汗ふき布を簡単に分離できるようにした請求項１記の手袋。
【請求項４】
汗ふき布を手の甲に収納できるようにした請求項１記載の手袋
【請求項５】
汗ふき布を広げる際に汚れが付きにくくするために汗ふき布に伸縮性の物を両サイドに通し、引っ張って広げる事が出来る請求項１記載の手袋。
【請求項６】
汗ふき布を広げ、収納しやすくするために、紐を引っ張る事で汗ふき布を収納できる請求項１記載の手袋。
【発明の詳細な説明】
【技術分野】
【０００１】この発明は、手袋の形状に関する。
【背景技術】
【０００２】  従来の手袋は図１が示すように、布や革などで手をカバー出来るようになっているものや、作業中に手をまもる役割を果たすものである。
【発明の概要】
【発明が解決しようとする課題】
【０００３】しかしながら、以上の技術によれば、防寒対策や、作業で手をガードする事に特化していた。そこで、防寒対策や作業で手をカバーする為だけではなく、汗をかいた場合にハンカチやタオル等を取り出して汗ぬぐわなくてもよく、又、手袋の機能をさらに向上させる事を課題とする。
【課題を解決するための手段】
【０００４】以上のことを解決するために、第一発明は手袋の甲の部分に袋状の物を取り付けた手袋を提供する（図２−１参照）。又、第二発明は手袋の甲の部分に吸水性のよい生地をとりつけた手袋である（図３−１参照）。第三発明はマジックテープ等で手の甲に取り付けた生地を取り外し出来るようした（図４−１、２）。第四発明は手の甲から前腕にかけて広がった生地を手の甲の部分に折りたたんで収納できるようにした（図５−１参照）。第四発明は収納した生地が簡単に開閉出来るように、生地の前と後ろを簡単に止めれるようにした（図６−１）。第五発明は作業等で汚れが生地につきにくくするために生地の両サイドに伸縮性の物を取り付け、指を入れて引っ張れるように、後部に穴を設けた。後部の穴は指で引っ張れるようにした紐状の物でもよい。（図６−２、３）。第六発明は生地を広げやすく収納しやすいように生地の両サイドに紐を通し指で引っ張ると広がり、紐を引っ張ると縮むようにした（図７−１．）
【発明の効果】
【０００５】  手袋は防寒対策や手をガードする為の物だった。しかし、第一発明により袋の中に保温材などを入れる事ができるので防寒対策機能を向上できる。第二発明により作業等で汗が出たときにハンカチやタオル等をだして汗をふかなくていいので作業効率があがる。第三発明により手の甲に取り付けた吸水性の生地を簡単に取り外せるので取り換えが簡単になる。第四発明は作業等で手袋の部分が汚れるので汗をふくのには適していないが、手の甲についた吸水性の生地を広げる事が出来るのでその部分で汗を拭う事ができるし、作業に支障をきたさないために折りたたんで手の甲に収納できる。第五発明により折りたたむ時間と広げる時に付く汚れを防ぐ事ができる。第六発明により紐を引っ張るだけで生地が伸縮するので生地の汚れを防ぐ事ができる。
【図面の簡単な説明】
【０００６】
【図１】従来品を示す平面図。
【図２】袋状の物を取り付けた平面図である。
【図３】吸水性の布を取り付けた平面図である。
【図４】布や袋を取り外した状態を示した平面図である。
【図５】布を折りたたんだ状態を示す平面図。
【図６】サイドに伸縮性の物を取り付け縮んでいる状態を示す平面図。
【図７】紐を引っ張って布が縮んでいる状態を示す平面図。
【発明を実施するための形態】
【０００７】  この発明の実施形態を、図４に示す。
この手袋は防寒用にカイロ等を入れる事が出来る袋と汗ふき用の生地を取り付けた手袋である。
「実施形態の効果」
【０００８】      この形態によれば、防寒用に袋にカイロ等を入れればさらに防寒対策につながり、作業等で汗が出た場合、タオルや手ぬぐい等を携帯しなくとも簡単に汗を拭う事ができる。
「他の実施形態」
【０００９】      取り付けた吸水性の生地は吸水性の強いゴム状のものでもよい〔選択図６〕
【符号の説明】
【００１０】図２−１  袋状の物を手袋の甲に取り付けた状態（平面図）
図３−１  汗をふくための吸水性の布を手の甲に取り付けた状態（平面図）
図４−１  汗ふき布や袋を取り外すためのマジックテープを取り付けた状態（平面図）
図４−２  袋と汗ふき布を手の甲から分離させた状態（平面図）
図５−１  手の甲に取り付けられた汗ふき布が折りたたまれた状態（平面図）
図６−１  汗ふき布を固定する為の止め部（平面図）
図６−２  汗ふき布に指をいれて引っ張る為の穴（平面図）
図６−３  汗ふき布に取り付けられた伸縮性の物（平面図）
図７−１  汗ふき布を縮ませるための紐（平面図）
【図１】
2011058154.tif 000003
【図２】
2011058154.tif 000004
【図３】
2011058154.tif 000005
【図４】
2011058154.tif 000006
【図５】
2011058154.tif 000007
【図６】
2011058154.tif 000008
【図７】
2011058154.tif 000009
(57)【要約】【課題】ハミガキコなどのチューブは、残り少なくなると指が痛くなるほど押し出さないと最後まで絞り出す事が出来ないので、少し残っていてもあきらめて捨ててしまっていた。【解決手段】ハミガキコなどのチューブ２の中にハミガキコ押し出し具１を入れる事により、上部はチューブ２の出し口にはまるように凸になっていて、中部はチューブ２の内側に密着しているので、下部の半円球の押し出し部３をチューブ２の上から指で撮むとハミガキコが押し出されて、チューブ２の出し口部の型に合うので最後まで押し出す事が出来る。【選択図】    図１
2011173607.tif 000002
【特許請求の範囲】
【請求項１】
ハミガキコなどのチューブの中に半円球の付いた押し出し具を設けた、ハミガキコ押し出し具。                                                                              
【発明の詳細な説明】
【技術分野】
【０００１】
本発明はハミガキコなどのチューブに関するものである。
【背景技術】
【０００２】
従来のハミガキコチューブは出し口が下になり立たせて置くことによりハミガキコが下がり出しやすい。    
【先行技術文献】
【特許文献】
【０００３】
【特許文献１】特願２００９−１７３３３３号公報
【特許文献２】特開平９−２４０６９８号公報
【特許文献３】特開平７−１２４０１７号公報
【発明の概要】
【発明が解決しようとする課題】
【０００４】
しかしながら、ハミガキコなどの中身が残り少なくなると捨ててしまうか、指が痛くなるぐらいチューブを絞って使うと言った不利がある。
【課題を解決するための手段】
【０００５】
本発明は、プラスチック製のハミガキコ押し出し具をハミガキコチューブの出し口の反対側に入れる事により上記課題を解決する。
【発明の効果】
【０００６】
本発明は、ハミガキコチューブの中に入っている、ハミガキコ押し出し具の押し出し部の半円球をチューブの上から指で押し撮むことにより出し口の中にまでハミガキコ押し出し具の凸部が入り最後まで押し出す事が出来る。
【図面の簡単な説明】
【０００７】
【図１】本発明のハミガキコ押し出し具の実施断面図
【図２】本発明のハミガキコ押し出し具の上面図
【発明を実施するための形態】
【０００８】
本発明のハミガキコ押し出し具１は、図１・図２に示されるように、上部はチューブ２の出し口にはまるように凸になっていて、中部はチューブ２の内側に密着していて、下部の押し出し部３は半円球になっていて指でチューブ２を撮む事によりハミガキコが押し出される。
【実施例】
【０００９】
本発明のハミガキコ押し出し具は、ハミガキコを余すことなく出しきれるので、コストの高いハミガキコチューブに使用すれば歯磨きの回数が増える。
【産業上の利用可能性】
【００１０】
ハミガキコを使いきる事によりチューブがプラのリサイクル容器なので水で洗い流さなくてもよい。
【００１１】
ハミガキコ以外のチューブ式の製品（バター・ねり調味料・油絵具・化粧品）などにも使用する事が出来る。
【符号の説明】
【００１２】
１    ハミガキコ押し出し具
２    チューブ
３    押し出し部
【図１】
2011173607.tif 000003
【図２】
2011173607.tif 000004
【手続補正書】
【提出日】平成23年3月9日(2011.3.9)
【手続補正１】
【補正対象書類名】特許請求の範囲
【補正対象項目名】全文
【補正方法】変更
【補正の内容】
【特許請求の範囲】
【請求項１】
ハミガキコなどのチューブの中に、上部はチューブの出し口より小径の凸を設け、中部はチューブの
内側に密着するよう設け、下部には半円球の付いた押し出し具を設けた、ハミガキコ押し出し具。
【手続補正２】
【補正対象書類名】明細書
【補正対象項目名】０００８
【補正方法】変更
【補正の内容】
【０００８】
本発明のハミガキコ押し出し具は、図１・図２に示されるように、上部はチューブ２の出し口より小径の凸になっていて、中部はチューブ２の内側に密着していて、下部の押し出し部３は半円球になっていて指でチューブ２を撮む事によりハミガキコなどの中身が押し出される。
(57)【要約】      （修正有）【課題】現在ダイレクトメールは紙、試供品、磁気媒体が主流である。毎日多くのダイレクトメールが各個人に届く。受け取ったダイレクトメールは開封もせず、ごみ箱へ直行も少なくない。多くの塵を排出し、資源の浪費をまねき、地球環境を破壊している。【解決手段】ダイレクトメールの包装箱に生きた花鉢、ミニ観葉植物または切り花用固定台２を設置しこれらを同封することができる。包装箱には「植物在中」と明記し、開封率の向上を図り、厳選されたお客にＤＭを送ることにより、無駄な資源浪費を避ける。受け取った人は植物を観賞するため部屋に飾り、心の癒しを得ることができます。また同時にＣＯ２を削減し地球環境保護に協力していることとなります。【選択図】図１
2011173646.tif 000002
【特許請求の範囲】
【請求項１】
包装箱に、固定台を設け、この固定台の商品挿入口に落下防止の切り目を設けたことを特徴とするダイレクトメール用の梱包箱。
【請求項２】
本体の上面、底面の面積より上蓋、下蓋の面積が大きいため側面の蓋を止めることにより簡単に封をすることができることを特徴とする請求項１記載の包装箱である。
【発明の詳細な説明】
【技術分野】
【０００１】  この発明は、ダイレクトメールに用いる包装箱の形状に関する。
【背景技術】
【０００２】  従来のダイレクトメールには生きた花鉢、ミニ観葉植物や切り花を同封する形状の包装箱はない。
【先行技術文献】
【０００３】  記述すべき先行技術文献は無い。
【発明の概要】
【発明が解決しようとする課題】
【０００４】    そこで、この発明は、生きた植物をダイレクトメールに同封することにより、地球環境にやさしく、生活に安らぎを提供することを課題とする。
【課題を解決するための手段】
【０００５】  以上の課題を解決するために、第一発明は、包装箱を組み立てることにより生きた花鉢、ミニ観葉植物又は切り花の固定台が下蓋に作られる。同封される生きた花鉢、ミニ観葉植物又は切り花は固定台に挿入されて、挿入された花鉢等の飛び出しを防ぐため挿入口に切れ目を入れ、飛び出し防止を設けたことを特徴とする包装箱である。
また、第二発明は、下蓋と上蓋の面積は、包装箱の外形の上面、底面の面積より大きく作られている。このため花鉢等の固定台（下蓋）を組み立て、次に上蓋を組み立て、最後に側面を組み立て封をすることにより、上下の蓋が開くことが無い、ことを特徴とする包装箱である。
【発明の効果】
【０００６】  第一発明、または第二発明によれば、ダイレクトメールで生きた花鉢、ミニ観葉植物又は切り花を安全かつ大量に発送することも容易になり、このダイレクトメールを受け取った人々もこの同封物を鑑賞することにより、知らず知らずのうちに、地球環境を保護し、心の安らぎを得ることとなる。
【図面の簡単な説明】
【０００７】  この発明の一実施形態を示す斜視図である。
【図１】図１は台形柱箱、
【図２】図２は三角柱箱、
【図３】図３は四角柱箱である。
【発明を実施するための形態】
【０００８】  この発明の一実施形態を、図１、２、３に示す。
包装箱の本体１、２、３は紙製であり、この本体１、２、３の底面には、生きた花鉢、ミニ観葉植物又は切り花が挿入される固定台２が作られている。また商品の飛び出しを防ぐため挿入口に切れ目３が設けられている。包装箱の外形でつくられる上面４の面積より、上蓋５の面積の方が大きく作られているため、包装箱外形でつくられる底面６の面積より、固定台でつくられる下蓋７の面積の方が大きく作られているため、側面の蓋８を閉じることにより上蓋と下蓋は開くことが無い。
【０００９】「実施形態の効果」
この実施形態によれば、固定台２と挿入口の切れ目３の働きで、商品の輸送中の揺れや飛び出しを防ぎ、花鉢等を安全にお客様にお届けすることができる。また、下蓋、上蓋、最後に側面蓋の順に包装箱を組み立てることにより、側面蓋をシールやテープ止めすることにより包装箱の封を簡単にすることができる。
【符号の説明】
【００１０】１  本体            ２  固定台            ３  挿入口切れ目（もどり）
４  本体上面        ５  上蓋              ６  本体底面
７  下蓋            ８  側面蓋
【図１】
2011173646.tif 000003
【図２】
2011173646.tif 000004
【図３】
2011173646.tif 000005
【図４】
2011173646.tif 000006
【図５】
2011173646.tif 000007
【図６】
2011173646.tif 000008
【図７】
2011173646.tif 000009
【手続補正書】
【提出日】平成22年5月25日(2010.5.25)
【手続補正２】
【補正対象書類名】明細書
【補正対象項目名】０００７
【補正方法】変更
【補正の内容】
【０００７】
【図１】図１は台形柱箱
【図２】図２は三角柱箱
【図３】図３は四角柱箱
【図４】図４は台形柱箱展開図
【図５】図５は三角柱箱展開図
【図６】図６は四角柱箱展開図
【図７】図７は台形柱箱実施形態
(57)【要約】      （修正有）【課題】ガソリンや軽油、天然ガスなどを燃料とする内燃機関エンジン式自動車において、よりクリーンなエネルギーに率先して変換を図る。【解決手段】できるだけ従来の構造は温存し、必要最小限の電動機１３による補助にとどめ、従来自動車のクラッチ部１２の後の動力伝達軸部に電動機１３と電動機クラッチを組み込み、加速、減速、坂道などエンジン回転に負荷がかかる場面においては、従来通りの内燃機関エンジン１１を使用し、高速道路などの負荷が一定の一定速度走行時のみ電動走行に切り替え、エンジン１１はアイドリング状態まで回転を落とすか、またはストップさせる。【選択図】図１
2011173532.tif 000002
【特許請求の範囲】
【請求項１】
内燃機関エンジンの回転作動により推進する自動車にあって、推進力の一部を電動機により切り替え補助できるように構成した電動補助機能付き自動車。
【請求項２】
前記電動機手段への電力供給に太陽電池を用いることを特徴とする請求項１に記載の電動補助機能付き自動車
【請求項３】
前記主エンジンが内燃機関であって、補助電動機との動力伝達切り替えをクラッチ部分の後、動力伝達軸部で行うように  構成した電動補助機能付き自動車。
【発明の詳細な説明】
【技術分野】
【０００１】
主にガソリンや軽油、天然ガスなどを燃料とする内燃機関エンジン式自動車において、走行推進力の一部を電動機による電気エネルギーを用いることにより、ガソリンや軽油、天然ガスなどの燃料の使用量を軽減する自動車に関する。
【背景技術】
【０００２】
近年、主にガソリンや軽油、天然ガスなどを燃料とする内燃機関エンジン式自動車において地球環境汚染や、石油化学燃料の枯渇などの諸問題が世界的にも、環境問題化しておりよりクリーンなエネルギーへ変換するべく全世界が取り組み初め、今後も重大な交通移動手段である自動車は従来の主にガソリンや軽油、天然ガスなどを燃料とする手段からよりクリーンなエネルギーに率先して変換を図らなければならない。
【発明の開示】
【発明が解決しようとする課題】
【０００３】
しかし従来はこのような排気ガスの排出抑制や、省エネルギーの手段としては、燃焼効率を改善するか、車体重量を軽量化するなどの手段しかとられてこなかった。
【０００４】
近年、一般にハイブリッド車と称される、内燃機関で発電して得られる電気エネルギーでもって電動機を駆動して走行するタイプの自動車も市場に登場してきているが、駆動用としての重量の大きなモーターや、特に大がかりな蓄電池を搭載しなければならず、車体重量増加、製造、開発などのコスト高など必ずしもメリットばかりではない現状である。
【０００５】
また、電動補助機能付き自動車としては（例えば、特許文献１参照）なども開示されているが、従来の発電機をモーターとして使用するなど効率面で不満の残る点があり、また電動駆動時のエンジン停止および空転による様々なデメリツトがあり、それらを解決するためには、多大の開発、製造コストが予想される。
【０００６】
【特許文献１】特許公開平７−１２３５１２
【課題を解決するための手段】
【０００７】
本発明の趣旨は、できるだけ従来の構造は温存し、必要最小限の電動機による補助にとどめる点にある。したがって従来自動車のクラッチ部の後の動力伝達軸部に電動機と電動機クラッチを組み込み、加速、減速、坂道などエンジン回転に負荷がかかる場面においては、従来通りの内燃機関エンジンを使用し、高速道路などの負荷が一定の一定速度走行時のみ電動走行に切り替え、エンジンはアイドリング状態まで回転を落とすか、またはストップさせる。
【０００８】
上記の一定速度を保持するのみであれば、４００W程度のごく小さい電動機で十分であり、
重量、使用電力もわずかであり、しかも自動車の屋根部に太陽電池パネルなどを取り付ければ、晴天時は十分な電気量が確保できる。
【０００９】
電動補助走行時は、エンジンはアイドル回転であり化石燃料の節約になる。もちろん電動補助走行時は、エンジンを止めることもできるが、走行以外のライト、暖房、冷房、充電など補器を使用するためにはアイドル回転は保持する方が経済的であると考える。
【発明の効果】
【００１０】
本発明によって、従来の構造、製造技術、などを大きく変更することなく動力伝達軸部に電動機を加える最小限の改良で、かなりの量の化石燃料削減、ひいては地球環境にやさしい自動車が開発できるとともに、新車に限らず現在、地球上を走行してる中古自動車にも大幅なコスト増や改造も施すことなく実施可能であり、社会的効果は大きい。
【発明を実施するための最良の形態】
【００１１】
以下に、本発明に係る電動補助機能付き自動車の最良の実施形態について説明する。現行のガソリンや軽油、天然ガスなどを燃料とする内燃機関エンジン式自動車のクラッチは、バック、ロー、セカンド、トップ、であろう、車種によっては、セカンドとトップの間にサード、トップの上にオーバートップなどがあるものある。
【００１２】
本発明の自動車のクラッチはトップまたはオーバートップギヤの上に電動機のギヤを加えるだけである。もちろんその電動機使用ギヤのときエンジンのギヤはニュートラルにはいる。
【図面の簡単な説明】
【００１３】
【図１】クラッチ部分の後、動力伝達軸部に本発明の電動機と電動機クラッチを組み込んだ説明図である。
【符号の説明】
【００１４】
１１内燃機関エンジン。１２クラッチ部。１３電動機。１４タイヤ。
【図１】
2011173532.tif 000003
(57)【要約】      （修正有）【課題】書籍にしおりの一部を貼り付けることで、しおりを落とす心配が無く、且つ、書籍等が勝手に開いてしまうことで、破れてしまったりすることを防ぐ留め部と、しおりが一体となったしおりを提供する。【解決手段】厚紙、または同等の性能を持つ素材に、粘着部１、しおり４、留め部２となる部分を配し、留め部２には留め具３を装着する。粘着部１を書籍の表紙または裏表紙に取り付けるか、しおり部４は折り返して、しおりとして使用し、留め部２は書籍等の収納時に裏表紙または表紙に留め具３で固定させるために用いる。【選択図】図３
2011173401.tif 000002
【特許請求の範囲】
【請求項１】
本体取り付けのための粘着物取り付け部、書籍・ノート等開き防止留め具を有する書籍・ノート等開き防止留め部本体としおり部から構成され、書籍・ノート等開き防止留め部本体としおり部が並列に配されているしおり。
【請求項２】
本体取り付けのための粘着物取り付け部、書籍・ノート等開き防止留め具を有する書籍・ノート等開き防止留め部本体としおり部から構成され、書籍・ノート等開き防止留め部本体としおり部が入れ子様に配されているしおり。
【発明の詳細な説明】
【技術分野】
【０００１】  本発明は、しおり部と書籍等の開き留め部を合わせ持ったしおりに関するものである。
【背景技術】
【０００２】  従来、粘着物を用いることで、書籍等に貼りつけるしおりがあった。
【発明の概要】
【発明が解決しようとする課題】
【０００３】  書籍にしおりの一部を貼りつけることで、しおりを落とす心配が無く、且つ、書籍等が勝手に開いてしうことで破れてしまったりすることを防ぐ留め部としおりが一体となったしおりを提供する。
【課題を解決するための手段】
【０００４】  厚紙、または同等の性能を持つ素材に、粘着部、しおり、留め部となる部分を配し、留め部には留め具を装着する。粘着部を書籍の表紙または裏表紙に取り付けるか、しおり部は折り返してしおりとして使用し、留め部は書籍等の収納時に裏表紙または表紙に留め具で固定させるのに用いる。本体はおおよそ数センチ×数センチであり、これらの機能を損なわないのであれば、筆記具収納部や書き込みを可能にする機能を付加することも出来る。
【発明の効果】
【０００５】  本体を書籍やノートに取り付けると、しおりを落とすことなく簡単に利用出来、且つ、書籍等を閉じて留め部で固定することで、安定して持ち運び出来、書籍も傷みにくい。
【図面の簡単な説明】
【０００６】
【図１】本発明において留め部としおりが入れ子状態の配列になっている実施例を示す平面図
【図２】本発明においてしおりと留め部が並んでいる実施例を示す平面図
【図３】本発明において、しおりが複数ある実施例を示す平面図
【図４】本発明を書籍等に装着して書籍等が閉まっている状態を示す斜視図
【図５】本発明を装着した書籍等を開いている状態を示す斜視図
【発明を実施するための最良の形態】
【０００７】  以下、本発明の実施の形態を説明する。
（イ）本体取り付けのための粘着物取り付け部（１）と書籍・ノート等開き防止留め具（３）る。
（ロ）本体取り付けのための粘着物取り付け部（１）は書籍・ノート等（５）の縦辺、横辺のどこにでも取り付けることが出来る。
（ハ）書籍・ノート等開き防止留め部本体（２）としおり部（４）は並列に配することも出来るし、入れ子様に配することも出来る。
（ニ）書籍・ノート等開き防止留め具（３）については、粘着物やマジックテープ、紐を巻きつけたり、輪ゴムで括ることも考えられる。
【符号の説明】
【０００８】１  本体取り付けのための粘着物取り付け部
２  書籍・ノート等開き防止留め部本体
３  書籍・ノート等開き防止留め具
４  しおり部
５  書籍・ノート等
【図１】
2011173401.tif 000003
【図２】
2011173401.tif 000004
【図３】
2011173401.tif 000005
【図４】
2011173401.tif 000006
【図５】
2011173401.tif 000007
(57)【要約】【課題】出先で書類をめくったり、紙幣を数えたり、ビニール袋の口を開けるときに指先が乾いていると、スムーズにいかず大変な思いをすることもあるので指先を水でぬらす、指先ぬらし器の携帯用を提供する。【解決手段】水を含んだスポンジ等を入れた容器（１）の一端に蓋（２）を設け、蓋（２）の背面に引っ掛け部（３）を設けた携帯用の指先ぬらし器を特徴とする。【選択図】図１
2011173402.tif 000002
【特許請求の範囲】
【請求項１】
容器（１）の一端に蓋（２）を設け、蓋（２）の一面に引っ掛け部（３）を設けた携帯用指先ぬらし器。
【発明の詳細な説明】
【技術分野】
【０００１】本発明は、容器の中に水を含ませたスポンジ等を入れてビニール袋の開口や、紙幣を数えるための携帯型指先ぬらし器に関するものである。
【背景技術】
【０００２】従来、机上に置いて使用する机上用のものである。
【先行技術文献】
【０００３】
【特許文献１】  特開２００６−１５０９３３号
【特許文献２】  特開２００９−７２７４８号
【発明の概要】
【発明が解決しようとする課題】
【０００４】これは次のような欠点があった。
（イ）指先をぬらす目的で容器を持ち歩いて、出先で使用することは考えていなかったのである。
（ロ）店舗で購入した品物をビニール製の袋に収納する時に指先が乾いていて、袋の口を開けることが困難な人のために水でぬらした布巾等置いてあるが、不特定多数の人が使用するので、非衛生的である。
本発明は、以上の問題点を解決するためになされたものである。
【課題を解決するための手段】
【０００５】水を含んだスポンジ等の吸水体（４）を入れた容器（１）の一端に回動自動自在な蓋（２）を設け、蓋（２）の背面に引っ掛け部（３）を設ける。
以上の構成よりなる携帯用指先ぬらし器である。
【発明の効果】
【０００６】軽量で小型なので、外出する時にズボンのベルトに引っ掛けていても気にならず、ワンタッチで乾いた指先を水でぬらすことができ、ビニール袋の開口とか、紙幣を数える時、スムーズに出来、又個人専用であることから衛生的である。
【図面の簡単な説明】
【０００７】
【図１】本発明の斜視図である。
【図２】中蓋の斜視図である。
【図３】容器の斜視図である。
【図４】本発明の断面図である。
【発明を実施するための形態】
【０００８】以下、本発明を実施の形態を説明する。
（イ）  スポンジ等の吸水体（４）を入れた容器（１）の一端に蓋（２）を設ける。
（ロ）  蓋（２）の背面部に引っ掛け部（３）を設ける。
（ハ）  容器（１）の一部に磁性体（６）と、蓋（２）にも磁性体（７）を設ける。
（ニ）  容器（１）に磁性体（８）で、中蓋（５）を固定する。
本発明は、以上のような構造である。
本発明を使用する時は、通常は容器（１）と蓋（２）は閉じているので、ズボンのベルトに引っ掛け部（３）を掛けて持ち歩き、指先に水気を必要とした時に、ベルトに引っ掛けた状態で、容器（１）を親指で適度に開き、その指先を中蓋（５）の開口より、水を含んだ吸水体（４）に触れて指先を濡らす。又これを机上で使用する時は、容器（１）と蓋（２）を９０度に開き、置き型として使用する事もできる。
【符号の説明】
【０００９】１  水を含んだスポンジ等を入れる容器
２  蓋
３  引っ掛け部
４  スポンジ等の吸水体
５  吸水体を固定する中蓋
６  磁性体
７  磁性体
８  磁性体
【図１】
2011173402.tif 000003
【図２】
2011173402.tif 000004
【図３】
2011173402.tif 000005
【図４】
2011173402.tif 000006
(57)【要約】【課題】シンク内の有効利用と家事の時間短縮を目的とする三角コーナーを提供する。【解決手段】シリコーンゴムなどの耐久性、耐熱性に優れた柔らかい素材を使い、三角コーナーにおいて、長辺側の側壁を無くし２つの側壁部に切り欠きをそれぞれ設け、ネットの取り付けを可能にした、一辺に開口部を有する三角コーナー。【選択図】図１
2011173721.tif 000002
【特許請求の範囲】
【請求項１】
シンクの隣接する２側面に接する側壁部（２）、（３）と基台部（１）とからなり、前記側壁部（２）、（３）のほぼ中央に水切りネットを取り付けるための切り欠き部（６）を設け、基台部（１）、側壁部（２）、（３）に水きりよう穴（５）を設けたことを特徴とする三角コーナー。
【発明の詳細な説明】
【技術分野】
【０００１】  本発明は、台所で使用する三角コーナーに関するものである。
【背景技術】
【０００２】  従来の三角コーナーでは三角コーナーの範囲だけシンクが使えなくなる。また三角コーナーのゴミ収容量に限度がある物であった（特許文献１）。
【先行技術文献】
【０００３】
【特許文献１】特開２００８−１４３７０３号公報
【発明の概要】
【発明が解決しようとする課題】
【０００４】  そのため次のような問題点があった。
（イ）鍋や大量の食器を洗う時に邪魔になる。
（ロ）仕込み時に出た野菜の皮や残飯などが三角コーナーに納まらず、シンク内に散らばった。
（ハ）また上述した特許文献１では、形状が固定的であったため、使用時にシンク内スペースを大きく占領していた。
本発明は以上の問題点を解決しようとするものである。
【課題を解決するための手段】
【０００５】  シンクの隣接する２側面に接する側壁部と基台部とからなり、前記側壁部のほぼ中央に水切りネットを取り付けるための切り欠け部を設ける。
【発明の効果】
【０００６】  シンク内が有効に使えるようになり、鍋や大量の食器を三角コーナーが邪魔にならずに洗えるようになる。またシンク内に散らばった生ゴミや野菜くずを、ちりとり型となったこの三角コーナーにより一瞬にしてかき集めゴミ袋に入れる事が出来、家事の時間短縮となる。
【図面の簡単な説明】
【０００７】
【図１】本発明の分解斜視図
【図２】本発明の使用
【発明を実施するための形態】
【０００８】  基台部（４）にシンクの隣接する２側面に接する側壁部（２）、（３）を設ける。基台部（４）および、側壁部（２）、（３）には水きり用の穴（５）を複数設ける。
前記、側壁部のほぼ中央には高さ方向の切り欠き部（６）を設ける。
このとき、本体はシリコーンゴムなどの、耐久性、耐熱性に優れ、柔らかい素材を使用する。
本発明は以上のような構造である。
【０００９】  本発明を使用するときは、市販されている水切りネットやビニール袋の開口部を折り返し、切り欠き部（６）から側壁部（２）、（３）のコーナー部分を覆うように引っ掛けて、側壁部（２）、（３）がシンクの側壁に接するように配置して使用する。
また、シンク内に散らばった生ゴミや野菜くずを、本体（１）をちり取りのようにして、かき集め、ゴミを包み込むようにして、そのままゴミ袋に入れることが出来る（図２）。
【符号の説明】
【００１０】１本体
２側壁部
３側壁部
４基台部
５穴
６切り欠き部
【図１】
2011173721.tif 000003
【図２】
2011173721.tif 000004
(57)【要約】【課題】使用済携帯電話の回収を促進するために、使用者の個人情報漏洩に関する不安を払拭するために、使用済の携帯電話が破壊され、データ等が取り出せない状態であることが目視できる携帯電話専用の小型破砕機を提供する。【解決手段】携帯電話にヒビを入れ、つぶしながら巻き込むローラーとたてに裁断しながら巻き込むローラーと細かくランダムにカットするローラーを有し、破砕された物が前面より目視できる機能を備えた小型破砕機とする。【選択図】図４
2011173108.tif 000002
【特許請求の範囲】
【請求項１】
使用済携帯電話を、つぶしながら、破砕するローラー、裁断しながら巻き込むローラー、ランダムに細かく破砕するローラーを有し、それらの工程をひとつにしておこなうことが出来、破砕された屑が目視できる窓を有する小型破砕機。
【請求項２】
使用済携帯電話を５ｍｍほどの大きさに、ランダムに破砕でき、細かく破砕された屑がたまっていく様子を使用者がいながらにして確認できるきる小型破砕機。
【請求項３】
携帯電話の店舗に容易に設置出来る大きさのコンパクトな使用済携帯電話専用小型回収機能付破砕機。
【発明の詳細な説明】
【技術分野】
【０００１】本発明は、携帯電話に使用されている、レアメタルの回収、リサイクルに関するもので、リサイクルしやすいチップを作ることと、個人情報の漏洩を不安視する使用者に対して、破砕されたチップが目視出来ることにより、安心感を与え使用済み携帯電話の回収率を上げることを目的とする小型破砕機に関するものである。
【背景技術】
【０００２】大型の金属破砕機や木材の破砕機の破砕の技術
【先行技術文献】
【特許文献】
【０００３】
【特許文献１】  特開  ２００１−２１９０８９号  広報
【特許文献２】  特開  ２００２−３４６４１２号  広報
【発明の概要】
【発明が解決しようとする課題】
【０００４】現在、日本の携帯電話の回収率は２４％に留まり、年を追うごとに減少している。
使用済携帯電話はバックアップ用になどという理由のほかに、個人情報の漏洩を不安視して、処分しない人が増えている。使用済携帯電話を実際に何らかの形で使用する以外の使用者からの回収率を上げ、都市鉱山ともいわれる、レアメタルの回収の効率化が課題である。
【課題を解決するための手段】
【０００５】使用済携帯電話を回収する際に、いかに使用者に情報漏洩の可能性の低さをアピールできるか、そして、それが常識化するかがかぎである。携帯電話を申し込む際、窓口のカウンター近くに設置出来、破壊された形が見た目で確認できる携帯電話専用の小型破砕機が最適かとおもわれます。使用済の携帯電話を入れたその場で細かく破砕することによって、情報漏洩の不安を取り除くことが出来ると考えます。
【発明の効果】
【０００６】携帯電話の申し込みの際のカウンター、もしくは携帯電話会社にその機械を設置することによって、使用しなくなった電話をその場で細かく不規則な形に破砕することで、情報漏洩の不安を取り除き、使用済携帯電話の回収率を上げることが出来ると考える。
また、細かく砕くという視覚的効果が破壊衝動的興味を引き、より回収率をあげるのに役立つのではないかと考える。
【図面の簡単な説明】
【０００７】
【図１】破砕ローラー部
【図２】破砕ローラ
【図３】破砕ローラーランダムカット
【図４】完成正面図
【発明を実施するための形態】
【０００８】機械の最上部にある投入口▲５▼より、使用済の携帯電話を投入すると、携帯電話が破砕機に巻き込まれていくためのローラーをつける。この際、携帯電話は入っていくが、人の手は入れられない、構造の投入口になっている。巻き込まれた携帯は破壊されやすいように、まず携帯電話全体にヒビを入れるためのローラーにおくられ、つぎに短冊状にカットするためのローラーに送られ、破砕の最終工程に五ｍほどの大きさでランダムにカットされる破砕ローラーにおくられる。格ローラーとも破砕するものが戻らないための反しのような構造をそれぞれの刃に有している。破砕されたチップは最下部にある、回収箱▲６▼に積もる。この際、前面に取り付ける窓により、破砕された携帯のチップが積もっていく様子が見えるようにする。破砕機全体の形状をキャラクター等の形にすればアイキャッチャーとしての役割もかねてさらに、回収率を向上させる形態にする。
【実施例】
【０００９】図４の▲５▼の投入口より使用済携帯電話が投入されると、▲１▼を通過することで、機械におおまかにひびが入り、▲２▼を通過すると、棒状にカットされる、▲３▼のローラーで１ｃｍ角にきざまれ、▲４▼のローラーで５ｍｍほどの大きさにランダムにカットされる。その屑は▲６▼の窓より、投入者に見た目にバラバラになり、データを保存できない状態であることを認識させる。
【産業上の利用可能性】
【００１０】携帯を契約、販売する店舗用の発明品で、その視覚効果により、使用済の携帯電話の回収率を飛躍的に上げ、レアメタルの回収に寄与できる。
【符号の説明】
【００１１】▲１▼、▲２▼、▲３▼、▲４▼破砕ローラー
▲５▼使用済携帯電話投入口
▲６▼破砕確認用窓
【図１】
2011173108.tif 000003
【図２】
2011173108.tif 000004
【図３】
2011173108.tif 000005
【図４】
2011173108.tif 000006
(57)【要約】【課題】  陰嚢及び陰茎が股間周辺の皮膚と接触するのを妨げることにより、股間や下腹部が蒸れるのを防ぐパンツを提供する。【解決手段】  外装パンツ（１）の内側に、陰嚢及び陰茎を出す縦長の穴（３）を設けた内装パンツ（２）を重ね、縫合して一体となした、二層のパンツを特徴とする。【選択図】図１
2011042913.tif 000002
【特許請求の範囲】
【請求項１】
外装パンツ（１）の内側に、更に一枚、前面中央下部に穴（３）を設けた内装パンツ（２）を重ね、縫合して一体とした、蒸れない爽やかパンツ。
【発明の詳細な説明】
【技術分野】
【０００１】  この発明は、機能の異なる二種類のパンツを組み合わせ一体となした男性用の蒸れない爽やかパンツに関するものである。
【背景技術】
【０００２】  従来、男性用パンツは下腹部全体を一緒に覆うものであった。
【発明の開示】
【発明が解決しようとする課題】
【０００３】  これは次のような欠点があった。
陰嚢及び陰茎が股間周辺の皮膚と接触するため、発汗を惹起し、股間の蒸れや、皮膚疾患の罹患の原因など困ることが多かった。
【課題を解決するための手段】
【０００４】  外側の外装パンツ（１）の内側に、陰嚢及び陰茎を出す穴（３）を設けた内装パンツ（２）を重ね合わせ縫合して一体となした。機能の異なる二種類のパンツを組み合わせた男性用パンツである。
【発明の効果】
【０００５】  着用時、陰嚢及び陰茎を内装パンツの穴より出し、外装パンツとの間に位置させることにより、発汗が抑制されると共に、内装パンツによる汗の吸収がなされ、蒸れの減少や皮膚疾患の予防が図られる。
【発明を実施するための最良の形態】
【０００６】  以下、本発明を実施するための最良の形態について説明する。
外側の外装パンツ（１）の内側に、女性用ショーツ型のパンツの前面中央下部に５センチメートルから１５センチメートルの縦長の穴（３）を設けた内装パンツを重ね、縫合して一体となした構造である。
また、内装パンツの布は吸湿性で速乾性のある肌触りのよい生地がよい。
【図面の簡単な説明】
【０００７】
【図１】  本発明の正面図である。
【図２】  本発明の側面図である。
【符号の説明】  １  外装パンツ
２  内装パンツ
３  穴
【図１】
2011042913.tif 000003
【図２】
2011042913.tif 000004
(57)【要約】【課題】フルサンドイッチ構造にコンクリート塊を利用することができるコンクリート塊を利用した鋼コンクリート複合構造を提供する。【解決手段】二枚の鋼板１０、１０を鋼材１１で繋いだ鋼殻１３の中に、コンクリート塊１４を投入すると共にモルタルからなる高流動モルタル１５を充填するものである。【選択図】図１
2011042987.tif 000002
【特許請求の範囲】
【請求項１】
二枚の鋼板を鋼材で繋いだ鋼殻の中に、コンクリート塊を投入すると共にモルタルを充填することを特徴とするコンクリート塊を利用した鋼コンクリート複合構造。
【請求項２】
コンクリート塊は、コンクリート構造物を解体して得られた、５〜２０ｃｍサイズのコンクリートからなる請求項１に記載のコンクリート塊を利用した鋼コンクリート複合構造。
【請求項３】
モルタルは、水とセメントと細骨材と高性能ＡＥ減水剤、もしくは高性能減水剤を混練してなる請求項１又は２記載のコンクリート塊を利用した鋼コンクリート複合構造。
【発明の詳細な説明】
【技術分野】
【０００１】
本発明は、鋼とコンクリート合成構造からなる鋼コンクリート複合構造に係り、特にコンクリート塊を利用した鋼コンクリート複合構造に関するものである。
【背景技術】
【０００２】
フルサンドイッチ構造である鋼とコンクリート合成構造からなる鋼コンクリート複合構造は、鋼板で殻体を形成し、その外殻内にコンクリートやモルタルを充填して形成される。
【０００３】
従来、このフルサンドイッチ構造は、橋梁やトンネル、或いはタンク構造物に広く採用されているが、特許文献１，２に示されるように鋼板の接合方法に主眼が置かれ、内部に充填するコンクリートは通常の生コンクリートが使用されてきた。
【先行技術文献】
【特許文献】
【０００４】
【特許文献１】特開２０００−３５２０１６号公報
【特許文献２】特開平１１−６１７４２号公報
【発明の概要】
【発明が解決しようとする課題】
【０００５】
ところで、鋼コンクリート複合構造を材料面からみると、鋼材、セメントは価格は上昇傾向にあるものの供給は安定しているが、天然の骨材は減少の一途を辿り、中国からの輸入も禁止され、砕石や砕砂が主流となってきている。しかも、近年の骨材の品質の低下は著しく、以前よりも乾燥収縮量や自己収縮量が増加していることが報告されている。
【０００６】
一方、産業廃棄物であるコンクリート塊は、有効利用がなされていないのが現状である。これは、コンクリート塊と新しく施工するモルタルとの付着に問題があり、一般の生コンクリートよりも強度が落ちるため、利用するのが困難である。
【０００７】
上述のサンドイッチ構造において、産業廃棄物であるコンクリート塊を利用することが考えられるが、コンクリート塊をモルタルに混ぜて使用しても、モルタルが殻体内に密に充填されず巣や中空が発生してしまうと共に、モルタルとコンクリート塊及び鋼板の付着強度が得られない問題がある。
【０００８】
そこで、本発明の目的は、上記課題を解決し、フルサンドイッチ構造にコンクリート塊を利用することができるコンクリート塊を利用した鋼コンクリート複合構造を提供することにある。
【課題を解決するための手段】
【０００９】
上記目的を達成するために請求項１の発明は、二枚の鋼板を鋼材で繋いだ鋼殻の中に、コンクリート塊を投入すると共にモルタルを充填することを特徴とするコンクリート塊を利用した鋼コンクリート複合構造である。
【００１０】
請求項２の発明は、コンクリート塊は、コンクリート構造物を解体して得られた、５〜２０ｃｍサイズのコンクリートからなる請求項１記載のコンクリート塊を利用した鋼コンクリート複合構造である。
【００１１】
請求項３の発明は、モルタルは、水とセメントと細骨材と高性能ＡＥ減水剤を混練してなる請求項１又は２に記載のコンクリート塊を利用した鋼コンクリート複合構造である。
【発明の効果】
【００１２】
本発明によれば、鋼殻の中に、コンクリート塊を投入する際にモルタルを用いて充填することで、鋼とモルタルとコンクリート塊とが一体に付着した構造とすることができるという優れた効果を発揮するものである。
【図面の簡単な説明】
【００１３】
【図１】本発明の一実施の形態を示す図である。
【図２】本発明の他の実施の形態を示す図である。
【発明を実施するための形態】
【００１４】
以下、本発明の好適な一実施の形態を添付図面に基づいて詳述する。
【００１５】
図１は本発明の一実施の形態を示す図である。
【００１６】
図において、二枚の鋼板１０、１０を０．８ｍ〜１．５ｍ程度間隔をおいて配置し、その間を鋼材１１で連結して、鋼板１０、１０と鋼板などの鋼材１１で仕切られたの空間１２が略密閉された鋼殻１３からなるフルサンドイッチ構造とされる。この鋼材１１には、図示していないが適宜流動孔が設けられ、後述するモルタルとしての高流動モルタル１５が各空間１２間を流動孔を通して流れるようにされている。
【００１７】
この鋼殻１３は、トンネルの壁や橋梁の床版或いはタンク壁などを構築する際のものである。
【００１８】
本発明においては、この鋼殻１３の空間１２内にコンクリート塊１４とモルタルとしての高流動モルタル１５とからなるコンクリート体１６を形成するものである。
【００１９】
図１においては、空間１２に先ずコンクリート塊１４を投入し、その後、高流動モルタル１５をコンクリートポンプ車からホース１７を用いて充填してコンクリート体１６を形成する。
【００２０】
また、図２に示した実施の形態においては、空間１２内に高流動モルタル１５を充填し、その後、コンクリート塊１４を投入してコンクリート体１６を形成するものである。
【００２１】
コンクリート塊１４としては、コンクリート構造物を解体し、これを例えば、２０ｃｍサイズの篩を通った５〜２０ｃｍサイズのコンクリートからなる。
【００２２】
また高流動モルタル１５は、水とセメントと細骨材と高性能ＡＥ減水剤もしくは高性能減水剤を混練してなるもので、流動性を高めたものである。
【００２３】
以上において、コンクリート塊１４を先に投入しても、高流動モルタル１５内にコンクリート塊１４を投入しても、コンクリート塊１４と高流動モルタル１５との付着が良好になると共に鋼板１０と鋼材１１の壁面にも高流動モルタル１５が付着して硬化してコンクリート体１６が形成されるため、鋼板１０及び鋼材１１とコンクリート体１６が力学的に合成されて挙動するため、通常の生コンクリートを充填したと同様の強度が得られる。
【００２４】
また、コンクリート塊１４は、コンクリート構造物を解体して得られるものであり、コンクリート塊１４に含まれる石や砂などは良質の骨材であり、しかもこれらは産業廃棄物として廃棄されるものの再利用であるため、環境負荷低減につながる。
【符号の説明】
【００２５】
１０  鋼板
１１  鋼材
１３  鋼殻
１４  コンクリート塊
１５  高流動モルタル
【図１】
2011042987.tif 000003
【図２】
2011042987.tif 000004
(57)【要約】【課題】本発明は、自動車のブレ−キランプ点灯確認を目視にて確実に確認する装置であり、ブレ−キランプ不点灯による追突事故を未然に防止するものである。【解決手段】本発明は、自動車の運転席内のハンドル部とブレ−キペダル部の両端に各々固定用のフックを取り付けてその中間部は二重のパイプが滑合状態で伸縮し一本の軸を形成しており、運転手がブレ−キを踏んだ状態までフック部を引き伸ばし、その状態で中間軸を固定状態になるようピンを作動して固定する。この状態で運転手は車外に出て後部のブレ−キランプの点灯を自分の目で確実に確認できる。【選択図】図１
2011042349.tif 000002
【特許請求の範囲】
【請求項１】
自動車のハンドルに、コの字型フツクを取り付け、それに連結した二重管で伸縮する軸に直結したＬ字型のペダル押さえを取り付ける事を特徴としたブレ−キランプ点灯確認装置。
【発明の詳細な説明】
【技術分野】
【０００１】  本発明は、一般の自動車全般に対応するブレ−キランプ点灯確認装置。
【背景技術】
【０００２】  従来の自動車用ブレ−キランプ点灯確認装置は自動車製造メ−カ−にて製造段階で、電気回路上で、例えば電球の玉切れ等を運転席の表示盤にて赤色表示にて運転者に異常を知らせる方式が主流であるが、確実にブレ−キランプ点灯を目視にて確認する装置は見あたらなかった。
【発明の開示】
【発明が解決しようとする課題】
【０００３】  自動車が走行中に急ブレ−キを踏むと後続車は先行車のブレ−キランプの点灯で、追突防止を避ける為に同様にブレ−キを踏みが、先行車のブレ−キランプの玉切れの異常を運転手が知らずに走行中に急ブレ−キを踏んだ場合、後続車の発見が遅れ追突事故を起こすことを未然に防ぐことを目的にした装置。
【課題を解決する手段】
【０００４】  本発明は、乗車前の始業点検時に、目視にて確実にブレ−キランプが点灯するかどうかを確認するために、運転台のハンドル部とブレ−キペダル部を伸縮式の直結したパイプ状の装置を取り付け、丁度ブレ−キを踏んだ状態で装置を固定し、運転手自ら自動車の後方に回り目視でブレ−キランプの点灯を確認するものである。
【発明の効果】
【０００５】  上述の様に、本装置は運転手一人で乗車前に確実にブレ−キランプの点灯を確認出来、又使用後は間単に取り外しできる為第三者に頼ることなく安全が保障できる。
【発明を実施するための最良の形態】
【０００６】  本発明は、ハンドルの一部に、コの字型のフツクを取り付け、それに連結された反対側の先には、Ｌ字型のフックがブレ−キペダルの上に取り付け、連結部のパイプは自由に伸縮し、且つ二本のパイプは自由に回転する機構とし、又外パイプの外形部にはＬ字型の長溝を設け、内パイプにはＬ字型長溝に嵌合する細いピンを設けてあり、丁度ブレ−キペダルを踏んだ状態まで両パイプを引き伸ばした状態で内パイプのピンを外パイプのＬ字型溝に回しながら嵌合させることで、運転手は手を離してもブレ−キを踏んだ状態が維持される。
この状態で運転手は自由に車を降りてブレ−キランプの点灯を確認できる。
【実施例】
【０００７】  以下添付図に従い実施例を説明する。［図１］は本装置でブレ−キを踏んだ状態の外観を示す例で、１はハンドルの断面を示し、２はブレ−キペダルの断面を示す、ハンドル部には３コの字型フック付パイプが、その中には４内パイプが滑合状態で取り付きその下部には５Ｌ字型フックが取り付き、４内パイプと５Ｌ字型フックは自由に回転できる。【０００８】  ［図１］において、まず３コの字フックを１ハンドルに取り付け、次に５Ｌ字型フックを２ブレ−キペダルに乗せた状態で、運転手が同様に２のブレ−キペダルを下方に踏み込んだ状態で４内パイプの外周に取り付けた６ピンを、３外パイプ外周のＬ字型長溝に沿わせながら下方に押し下げて横溝に回しながら固定させる。
この状態で、ブレ−キを踏んだ状態を維持している為に運転手は手を離し車から自由に降りることができる。【０００９】  ［図２］はブレ−キを開放した状態図を示し、ブレ−キランプ点灯を確認後、４内パイプを回しながら６ピンを横溝から縦溝側に引き上げながら装置をハンドルから外し取る。
【図面の簡単な説明】
【００１０】
【図１】  本発明の実施形態を示す装置の外観図を示す
【図２】  同装置のブレ−キを解除した状態の外観図
【図３】  同装置の図１におけるＡ−Ａ断面図
【図４】  同装置の図１におけるＢ−Ｂ断面図
【図５】  同装置を自動車に取り付けたイメ−ジ図
【符号の説明】
【００１１】１  自動車のハンドル
２  自動車のブレ−キペダル
３  コの字型フック付外パイプ
４  内パイプ
５  Ｌ字型フック
６  ピン
７  ネジ
【図１】
2011042349.tif 000003
【図２】
2011042349.tif 000004
【図３】
2011042349.tif 000005
【図４】
2011042349.tif 000006
【図５】
2011042349.tif 000007